(57)【要約】      （修正有）【課題】使用者が蒸し暑さ等の不快感を覚えることを効果的に回避し、使用者の睡眠中の快適性を向上することができる通気効果を備える寝具を提供する。【解決手段】取付孔が貫設される本体１０と、通気手段２０とを備えており、通気手段２０は本体１０の取付孔にそれぞれ対応して取付けられており、通気手段２０は通気ベースと留めリングとを有しており、通気ベースは開口が本体１０内部に向いた筒体であり、通気ベースは結合部と環状壁とを有しており、結合部は板状で且つ複数の通気孔が貫設されており、環状壁は結合部の内側面に一体に成型されており、留めリングは通気ベースの環状壁の外表面に被せるように設けられる。これにより、本体内外の空気が通気手段を透過し循環することで、使用者が蒸し暑さ等の不快感を覚えることを効果的に回避し、使用者の睡眠中の快適性を向上することができ、且つ本体内部のカビ発生を防止して、使用者がカビ・細菌に感染する可能性を低減することができる。【選択図】図１
0003220148.tif 000002
【実用新案登録請求の範囲】
【請求項１】
少なくとも一つの取付孔が貫設される本体と、
該本体の少なくとも一つの取付孔にそれぞれ対応して取付けられる少なくとも一つの通気手段と、を備えることを特徴とする、
通気効果を備える寝具。
【請求項２】
前記少なくとも一つの通気手段はそれぞれ通気ベースと留めリングとを有しており、該通気ベースは開口が前記本体内部に向いた筒体であり、該通気ベースは結合部と環状壁とを有しており、該結合部は板状で且つ複数の通気孔が貫設されており、該環状壁は該結合部の内側面に一体に成型されており、該留めリングは該通気ベースの環状壁の外表面に被せるように設けられることを特徴とする請求項１に記載の通気効果を備える寝具。
【請求項３】
前記通気ベースの環状壁の外表面は複数の位置決め突起が突設されており、前記留めリングの内縁には複数の係止突起が内向きに突設されており、前記留めリングの各係止突起は前記環状壁の位置決め突起に対応して密着することを特徴とする請求項２に記載の通気効果を備える寝具。
【請求項４】
前記通気ベースはシリコーン筒体であることを特徴とする請求項３に記載の通気効果を備える寝具。
【請求項５】
前記留めリングはシリコーンリング体であることを特徴とする請求項４に記載の通気効果を備える寝具。
【請求項６】
前記本体は矩形の枕カバーであり、前記本体の頂面には四つの上角部が設けられており、前記本体の底面には四つの下角部が設けられており、且つ前記本体の各角部にはいずれも取付孔が貫設されることを特徴とする請求項１ないし５のいずれか一項に記載の通気効果を備える寝具。
【請求項７】
前記本体は矩形の立体枕カバーであり、前記本体の頂面と底面との間には周囲部が設けられており、且つ前記少なくとも一つの取付孔は前記本体の周囲部を貫通することを特徴とする請求項１ないし５のいずれか一項に記載の通気効果を備える寝具。
【請求項８】
前記本体は敷きマットであることを特徴とする請求項１ないし５のいずれか一項に記載の通気効果を備える寝具。
【請求項９】
前記本体は掛け布団であることを特徴とする請求項１ないし５のいずれか一項に記載の通気効果を備える寝具。
【請求項１０】
前記本体は抱き枕カバーであることを特徴とする請求項１ないし５のいずれか一項に記載の通気効果を備える寝具。
【考案の詳細な説明】
【技術分野】
【０００１】
本考案は寝具に関し、とりわけ通気効果を備える寝具に関する。
【背景技術】
【０００２】
睡眠中の快適性を向上し、睡眠中の保温等の効果を提供するために、一般的に人は睡眠時に寝具を合わせて就寝する。従来の寝具は例えば枕、抱き枕、掛け布団又は敷きマット等である。枕を例とすると、従来の枕はインナとアウタとを有しており、該インナの内部には綿又は羽毛が充填されており、該アウタは該インナを包み込むものであって、該インナ及び該アウタは分けて洗うことができ、洗濯しやすいという効果を達成することができる。
【０００３】
しかしながら、長時間の睡眠にて、使用者は汗をかきやすい。従来の枕のインナ又はアウタは一般的にポリエステル繊維又は綿布からなる。このうち、ポリエステル繊維は通気効果がさほど良くなく、使用者が蒸し暑さを感じやすく、睡眠品質がよくない。一方、綿布は通気効果は良いが、製造コストが高いため、寝具にコストと通気性とを兼備させることは解決すべき問題である。
【考案の概要】
【考案が解決しようとする課題】
【０００４】
本考案の主な目的は、従来の寝具が通気性に劣り、使用者が長時間使用していると蒸し暑く且つ不快感を覚えやすいという欠点及び不足を解決するために、本体には取付孔が貫設されるとともに、各取付孔には通気手段が装着されて、該本体内外の空気が該通気手段を透過し循環することで、使用者が蒸し暑さ等の不快感を覚えることを効果的に回避し、使用者の睡眠中の快適性を向上することができる通気効果を備える寝具を提供することにある。
【課題を解決するための手段】
【０００５】
本考案が従来技術における問題を解決するために提案する通気効果を備える寝具は、少なくとも一つの取付孔が貫設される本体と、該本体の少なくとも一つの取付孔にそれぞれ対応して取付けられる少なくとも一つの通気手段と、を備える。
【０００６】
前記した通気効果を備える寝具は、該少なくとも一つの通気手段は通気ベースと留めリングとを有しており、該通気ベースは開口が該本体内部に向いた筒体であり、該通気ベースは結合部と環状壁とを有しており、該結合部は板状で且つ複数の通気孔が貫設されており、該環状壁は該結合部の内側面に一体に成型されており、該留めリングは該通気ベースの環状壁の外表面に被せるように設けられる。
【０００７】
前記した通気効果を備える寝具は、該通気ベースの環状壁の外表面は複数の位置決め突起が突設されており、該留めリングの内縁には複数の係止突起が内向きに突設されており、該留めリングの各係止突起は該環状壁の位置決め突起に対応して密着する。
【０００８】
前記した通気効果を備える寝具は、該通気ベースはシリコーン筒体である。
【０００９】
前記した通気効果を備える寝具は、該留めリングはシリコーンリング体である。
【００１０】
前記した通気効果を備える寝具は、該本体は矩形の枕カバーであり、該本体の頂面には四つの上角部が設けられており、該本体の底面には四つの下角部が設けられており、且つ該本体の各角部にはいずれも取付孔が貫設される。
【００１１】
前記した通気効果を備える寝具は、該本体は矩形の立体枕カバーであり、該本体の頂面と底面との間には周囲部が設けられており、且つ該少なくとも一つの取付孔は該本体の周囲部を貫通する。
【００１２】
前記した通気効果を備える寝具は、該本体は敷きマットである。
【００１３】
前記した通気効果を備える寝具は、該本体は掛け布団である。
【００１４】
前記した通気効果を備える寝具は、該本体は抱き枕カバーである。
【００１５】
本考案の技術手段で得られる効果の増進は以下の通りである。
１．本考案の本体には少なくとも一つの取付孔が貫設されており、各取付孔には通気手段が装着されて、該本体内外の空気が該通気手段を透過し循環することで、使用者が蒸し暑さ等の不快感を覚えることを効果的に回避し、使用者の睡眠中の快適性を向上することができ、且つ本体内部のカビ発生を防止して、使用者の健康を保ち、使用者がカビ・細菌に感染する可能性を低減することができる。
２．本考案の通気手段は通気ベースと留めリングとを備えており、該留めリングを該通気ベースに被せるように設ける設計により、該通気手段は該本体から脱落することなく、本考案は通気性を向上し、コストを削減する等の長所を兼備させることができる。
【図面の簡単な説明】
【００１６】
【図１】本考案の第１の実施例の外観立体図である。
【図２】本考案の第１の実施例の局部拡大外観立体分解図である。
【図３】本考案の第１の実施例の局部拡大断面側面図である。
【図４】本考案の第２の実施例の外観立体図である。
【図５】本考案における本体がインナカバーである外観立体図である。
【図６】本考案における本体が掛け布団である外観立体図である。
【図７】本考案における本体が敷きマットである外観立体図である。
【考案を実施するための形態】
【００１７】
本考案の技術特徴及び実用的な効果が詳細に理解できるようにするとともに、考案の内容に基づいて実現できるようにするために、ここでは更に図示する好ましい実施例をもって、下記のように詳細に説明する。
【００１８】
本考案で提供する通気効果を備える寝具の第１の実施例は例えば図１及び図２に示すように、本体１０と、少なくとも一つの通気手段２０とを備えている。
【００１９】
該本体１０には少なくとも一つの取付孔１１が貫設されている。本実施例においては、該本体１０は矩形の枕カバーであり、該本体１０の頂面には四つの上角部が設けられており、該本体１０の底面には四つの下角部が設けられている。該本体１０の各角部にはいずれも取付孔１１が貫設されているが、好ましくは、該少なくとも一つの取付孔１１は一つの丸孔である。
【００２０】
該少なくとも一つの通気手段２０は該本体１０の少なくとも一つの取付孔１１に取付けられて貫設されており、各通気手段２０は通気ベース２１と、留めリング２２とを備えている。該通気ベース２１は開口が該本体１０内部に向いた筒体であり、該通気ベース２１は結合部２１１と環状壁２１２とを有しており、該結合部２１１は板状で且つ複数の通気孔２１３が貫設されており、該環状壁２１２は該結合部２１１の内側面に一体に成型されている。該環状壁２１２の外表面は周囲に間隔を持って三つの位置決め突起２１４が外向きに突設されており、該留めリング２２は該通気ベース２１の環状壁２１２の外表面に被せるように設けられており、該留めリング２２の内縁には複数の係止突起２２１が内向きに突設されている。該留めリング２２の各係止突起２２１は環状壁２１２の位置決め突起２１４に対応して密着して、該少なくとも一つの通気手段２０は該本体１０から脱落することなくなる。好ましくは、該通気ベース２１の留めリング２２はいずれもシリコーン製である。
【００２１】
図２及び図３に示すように、本考案の第１の実施例での操作使用時には、外部空気は該通気ベース２１の結合部２１１の通気孔２１３から該本体１０の内部に取り込まれるとともに、該本体１０の内部の空気もまた該通気ベース２１の結合部２１１の通気孔２１３から外部に導出されることで、空気が本体１０内外部で循環可能となる。通気の効果を向上して、使用者が蒸し暑さ等の不快感を覚えることを効果的に回避して、使用者の睡眠中の快適性を向上することができる。
【００２２】
図４に示す本考案の第２の好ましい実施例では、該実施例の構造は概ね前記第１の好ましい実施例と同じであるが、本実施例は以下の点で異なる。
本体１０Ａは矩形の立体枕カバーであって、該本体１０Ａの頂面と底面との間には周囲部１２Ａが設けられる。該少なくとも一つの取付孔１１Ａは該本体１０Ａの周囲部１２Ａを貫通し、好ましくは、該周囲部１２Ａは前側面と、後側面と、左側面と、右側面とを有し、且つ該周囲部１２Ａの各側面にはいずれも取付孔１１Ａが貫通するとともに通気手段２０が対応するように設けられる。
【００２３】
更に、図５に示すように、該本体１０Ｂはインナカバーとすることができる。又は図６に示すように、該本体１０Ｃは掛け布団とすることができる。又は図７に示すように、該本体１０Ｄは敷きマットとしてもよい。
【００２４】
本考案は以下の長所を備える。
【００２５】
１．本考案の本体１０には少なくとも一つの取付孔１１が貫設されており、各取付孔１１には通気手段２０が装着されている。該本体１０内外の空気が該通気手段２０を透過し循環することで、使用者が蒸し暑さ等の不快感を覚えることを効果的に回避し、使用者の睡眠中の快適性を向上することができ、且つ本体１０内部のカビ発生を防止して、使用者の健康を保ち、使用者がカビ・細菌に感染する可能性を低減することができる。
【００２６】
２．本考案の通気手段２０は通気ベース２１と留めリングとを備えており、該留めリング２２を該通気ベース２１に被せるように設ける設計により、該通気手段２０は該本体１０から脱落することがなく、本考案は通気性を向上し、コストを削減する等の長所を兼備することができる。
【００２７】
上記は、単に本考案の好ましい実施例に過ぎず、本考案に対して何らかの形式的な限定を行うものではない。当業者が、本考案が提供する技術特徴の範囲を超えることなく、本考案に開示する技術内容を用いての一部変更又は付加した等価の実施例はいずれも本考案の技術的特徴の範囲内にある。
【符号の説明】
【００２８】
１０、１０Ａ、１０Ｂ、１０Ｃ、１０Ｄ  本体
１１  取付孔
１２Ａ  周囲部
２０  通気手段
２１  通気ベース
２１１  結合部
２１２  環状壁
２１３  通気孔
２１４  位置決め突起
２２  留めリング
２２１  係止凸部
【図１】
0003220148.tif 000003
【図２】
0003220148.tif 000004
【図３】
0003220148.tif 000005
【図４】
0003220148.tif 000006
【図５】
0003220148.tif 000007
【図６】
0003220148.tif 000008
【図７】
0003220148.tif 000009